(57)【要約】【課題】筐体の小型化を実現し、かつ圧力損失の小さな強制空冷装置における冷却用ファンユニットの取付構造を提供する。【解決手段】発熱体を収容する筐体１１に強制空冷する冷却用ファンユニット１３を取り付ける強制空冷装置における冷却用ファンユニットの取付構造であって、筐体１１の吸気面に対向する面の外側より、冷却用ファンユニット１３の突起部１２を筐体１１の凹部１４に引掛けて、回転動作により冷却用ファンユニット１３を筐体１１に収容すると共に、筐体１１内部に前記冷却用ファンユニット１３と筐体１１とのロック機構を設けて、冷却用ファンユニット１３を筐体１１の外側から取り付けることによって、筐体１１と冷却用ファンユニット１３の間にできる空間を無くすことが可能なため、筐体１１の小型化を実現し、かつ圧力損失を小さくすることができる。【選択図】        図１
2005011930.tif 000002
【特許請求の範囲】
【請求項１】
発熱体を収容する筐体に強制空冷する冷却用ファンユニットを取り付ける強制空冷装置における冷却用ファンユニットの取付構造であって、
前記筐体の外側より前記冷却用ファンユニットを取り付けて前記筐体内部に収容すると共に、筐体内部に前記冷却用ファンユニットと筐体とのロック機構を設けたことを特徴とする強制空冷装置における冷却用ファンユニットの取付構造。
【請求項２】
請求項１に記載の強制空冷装置における冷却用ファンユニットの取付構造において、
前記冷却用ファンユニットは、前記筐体の吸気面に対向する面の外側より、前記冷却用ファンユニットの突起部を前記筐体の凹部に引掛けて、回転動作により前記筐体に収容されることを特徴とする強制空冷装置における冷却用ファンユニットの取付構造。
【請求項３】
請求項２に記載の強制空冷装置における冷却用ファンユニットの取付構造において、
前記筐体には冷却用ファンユニット１３を収容するための穴が設けられ、前記冷却用ファンユニットが収容された状態で、前記穴の外形よりも大きな外形を有する冷却用ファンユニットの取付板により前記筐体の穴を覆う
ことを特徴とする強制空冷装置における冷却用ファンユニットの取付構造。
【発明の詳細な説明】
【０００１】
【発明の属する技術分野】
本発明は、通信用電子機器筐体における冷却用ファンユニットの取付構造に関するもので、特に強制空冷を必要とする発熱体を収容する、小型筐体における冷却用ファンユニットの取付構造に関する。
【０００２】
【従来の技術】
図３は、従来の強制空冷装置における冷却用ファンユニットの取付構造を説明するもので、冷却用ファンユニットを筐体に設けたガイドレールに取り付けた構造図である（例えば特許文献１参照）。同図（ａ）は上面図、同図（ｂ）は図３（ａ）のＡＡ線に沿う矢視方向の断面図、同図（ｃ）は図３（ａ）のＢＢ線に沿う矢視方向の断面図である。
【０００３】
図３に示すように、冷却用ファンユニット３の取付構造は、通信用電子機器の筐体（以下筐体とする）１の内部に設けた嵌合用レール部２に、冷却用ファンユニット３のフランジ部４を合わせてスライドさせ（図３（ｃ）参照）、筐体１内部に設けたコネクタ５と冷却用ファンユニット３に設けたコネクタ６を嵌合させて取り付けるようにしている（図３（ｂ）参照）。また、筐体１内部に設けたネジ穴部７に、冷却用ファンユニット３に設けた抜け止めネジ８を嵌合させることにより、筐体１と冷却用ファンユニット３のロック機構を形成している（図３（ｂ）参照）。
【０００４】
また、冷却用ファンユニットにフック部を設け、該フック部を筐体の取付板に引っ掛けて取り付ける構造のものがある（例えば特許文献２参照）。
【０００５】
【特許文献１】
特開平０８−３３８６７６号公報
【特許文献２】
特開２００２−２４６７８１号公報
【０００６】
【発明が解決しようとする課題】
しかしながら、図３に示す従来の冷却用ファンユニットの取付構造では、筐体１の内側へ取り付ける際に、冷却用ファンユニット３が筐体１のフランジ部９にぶつからないようにするため、冷却用ファンユニット３と筐体１の間にスペースが必要となり、小型化を阻害する要因となっていた（図３（ｂ）参照）。また、筐体１の内側へ取り付けるため、危険防止のためのファンガード１０を、冷却用ファンユニット３と筐体１のそれぞれに設ける必要があり、圧力損失を大きくすることになり、冷却効率を悪化させていた。このため、比較的装置容積が大きなものとなっていた。
【０００７】
本発明は上述した点に鑑みてなされたもので、筐体の小型化を実現し、かつ圧力損失の小さな強制空冷装置における冷却用ファンユニットの取付構造を提供することを目的とする。
【０００８】
【課題を解決するための手段】
本発明に係る強制空冷装置における冷却用ファンユニットの取付構造は、発熱体を収容する筐体に強制空冷する冷却用ファンユニットを取り付ける強制空冷装置における冷却用ファンユニットの取付構造であって、前記筐体の外側より前記冷却用ファンユニットを取り付けて前記筐体内部に収容すると共に、筐体内部に前記冷却用ファンユニットと筐体とのロック機構を設けたことを特徴とするものである。この構造により、冷却用ファンユニットを筐体の外側から取り付けることによって、筐体と冷却用ファンユニットの間にできる空間を無くすことが可能なため、筐体の小型化を実現し、かつ圧力損失を小さくすることができる。
【０００９】
また、前記冷却用ファンユニットは、前記筐体の吸気面に対向する面の外側より、前記冷却用ファンユニットの突起部を前記筐体の凹部に引掛けて、回転動作により前記筐体に収容されることを特徴とする。この構造により、筐体と冷却用ファンユニットの間にできる空間を無くすことが可能なため、筐体の小型化を実現し、かつ圧力損失を小さくすることができる。
【００１０】
さらに、前記筐体には冷却用ファンユニット１３を収容するための穴が設けられ、前記冷却用ファンユニットが収容された状態で、前記穴の外形よりも大きな外形を有する冷却用ファンユニットの取付板により前記筐体の穴を覆うことを特徴とする。この構造により、筐体と冷却用ファンユニットの間にできる空間を無くすことが可能なため、筐体の小型化を実現でき、かつ冷却用ファンユニットの取付板ａが筐体の一部を兼ねるため、危険防止のファンガードを、冷却用ファンユニットと筐体の両方に設ける必要が無くなり、ファン周辺部の圧力損失を小さくできる。
【００１１】
【発明の実施の形態】
本発明の実施の形態について図面を参照して説明する。図１は、本発明の実施の形態に係る強制空冷装置における冷却用ファンユニットの取付構造を説明する図であり、同図（ａ）は上面図、同図（ｂ）は図１（ａ）のＣＣ線に沿う矢視方向の断面図、同図（ｃ）は図１（ａ）のＤＤ線に沿う矢視方向の断面図である。
【００１２】
図１に示すように、冷却用ファンユニット１３は、筐体１１の吸気面に対向する面の外側より、当該冷却用ファンユニット１３の突起部１２を筐体１１の凹部１４に引掛けて、回転動作により筐体１１に収容するものとし（図１（ａ），（ｂ）参照）、筐体１１の内部に設けたコネクタ１５と冷却用ファンユニット１３に設けたコネクタ１６とを嵌合させる（図１（ｂ）参照）。また、筐体１１の内部に設けたネジ穴部１７に、冷却用ファンユニット１３に設けた抜け止めネジ１８を嵌合させることにより、筐体１１と冷却用ファンユニット１３のロック機構を形成している（図１（ｂ）参照）。
【００１３】
図２は、図１（ａ）の補助図面を示し、筐体１１には冷却用ファンユニット１３を収容するための斜線のような穴が設けられ、冷却用ファンユニット１３が収容された状態で、筐体１１の穴の外形よりも大きな外形を有する冷却用ファンユニット１３の取付板１３ａが筐体１１の穴を覆うようになっている。
【００１４】
従って、上述した実施の形態によれば、発熱体を実装する通信用電子機器の冷却用ファンユニット１３の取付構造において、冷却用ファンユニット１３を筐体１１の外側から取り付けることによって、筐体１１と冷却用ファンユニット１３の間にできる空間を無くすことが可能なため、筐体１１の小型化を実現でき、かつ冷却用ファンユニット１３の取付板１３ａが筐体１１の一部を兼ねるため、危険防止のファンガード２０を、冷却用ファンユニット１３と筐体１１の両方に設ける必要が無くなり、ファン周辺部の圧力損失を小さくできるという効果がある。
【００１５】
【発明の効果】
以上のように、本発明によれば、筐体の外側より冷却用ファンユニットを取り付けて筐体内部に収容すると共に、筐体内部に冷却用ファンユニットと筐体とのロック機構を設けたことにより、筐体の小型化を実現し、かつ圧力損失の小さな強制空冷装置における冷却用ファンユニットの取付構造を提供することができる。
【図面の簡単な説明】
【図１】本発明の実施の形態に係る強制空冷装置における冷却用ファンユニットの取付構造を説明する図である。
【図２】図１の補助図面である。
【図３】従来の強制空冷装置における冷却用ファンユニットの取付構造を説明する図である。
【符号の説明】
１  筐体、２  嵌合用レール部、３  冷却用ファンユニット、４  フランジ部、５  筐体１内部に設けたコネクタ、６  冷却用ファンユニット３に設けたコネクタ、７  ネジ穴部、８  抜け止めネジ、９  フランジ部、１０  ファンガード、１１  筐体、１２  突起部、１３  冷却用ファンユニット、１３ａ  冷却用ファンユニット１３の取付板、１４  凹部、１５  筐体１１内部に設けたコネクタ、１６  冷却用ファンユニット１３に設けたコネクタ、１７  ネジ穴部、１８  抜け止めネジ、１９  フランジ部、２０  ファンガード。
【図１】
2005011930.tif 000003
【図２】
2005011930.tif 000004
【図３】
2005011930.tif 000005